(57)【要約】【課題】防虫網などのスクリーンを張るために引き出したときにコイルスプリングに蓄積された弾力でスクリーンを巻き取るようにした枠組体において、巻取りの速度を緩和するための制動装置を提供する。【解決手段】スクリーンで開閉される枠組みの一の枠がスクリーンの巻取軸体が内装される収納枠であって、収納枠の両端に枠組みのための連結ブロックが固着されている枠組体において、その巻取軸体は、スクリーンを巻き取る外筒と、それを軸支する中心のシャフトとの間にコイルスプリングが介在され、コイルスプリングの弾力に抗するシャフトに対する外筒の逆回転を伴わせてスクリーンが引き出され且つ弾力による正回転により巻き取られるようになしてあって、一方の連結ブロックに、コイルスプリングによるシャフトに対する外筒の正回転の速度を制御する一方向制動装置が内装又は埋設されていることを特徴とする。【選択図】    図２
2007303111.tif 000002
【特許請求の範囲】
【請求項１】
スクリーンで開閉される枠組みの一の枠がスクリーンの巻取軸体が内装される収納枠であって、収納枠の両端に枠組みのための連結ブロックが固着されている枠組体において、その巻取軸体は、スクリーンを巻き取る外筒と、それを軸支する中心のシャフトとの間にコイルスプリングが介在され、コイルスプリングの弾力に抗するシャフトに対する外筒の逆回転を伴わせてスクリーンが引き出され且つ弾力による正回転により巻き取られるようになしてあって、一方の連結ブロックに、コイルスプリングによるシャフトに対する外筒の正回転の速度を制御する一方向制動装置が内装又は埋設されていることを特徴とする網状ないし面状スクリーンの巻取り制動装置。
【請求項２】
巻取軸体の外筒に固着される下部キャップに脚軸部を垂設してあって、下部連結ブロックに埋設される一方向制動装置には、前記脚軸部を落とし込んで接続する入力軸を有し、上部連結ブロックには、巻取軸体を軸支する軸孔を設けるとともに、下面にクラッチ面を形成し、外筒の上端には該軸孔に軸支される端末軸を設けるとともに、それを圧縮バネで上方へ付勢する上端昇降軸装置を具備し、端末軸の基端に上部連結ブロックとクラッチ接続する鍔部を形成してあって、圧縮バネの弾力に抗して巻取軸体を持ち上げることにより、前記入力軸に対して脚軸部を着脱可能にしたことを特徴とする請求項１記載の網状ないし面状スクリーンの巻取り制動装置。
【発明の詳細な説明】
【技術分野】
【０００１】
この発明は、防虫網や映写幕、遮蔽幕などのスクリーンを収納枠から引き出すことができるとともに、その際にコイルスプリングに蓄積された弾力で巻き取って仕舞うことができるようにした枠組体における網状ないし面状スクリーンの巻取り制動装置に関する。
【背景技術】
【０００２】
枠組体において防虫網や映写幕、遮蔽幕等のスクリーンは、一般的に軸に巻き取って仕舞われ、巻き戻して（引き出して）張ることにより使用される。その手段として、枠組体の一端にそれを仕舞う収納枠が枠組みの一枠として設けられ、スクリーンの引き出し側の端に把手フレームが取り付けられ、それが枠組体に移動可能に内装される。また、巻き取りが自動的になされるようにするとともに、把手フレームを引くことによりスクリーンを張りに保持する必要から、収納枠には、スクリーンを巻き取る軸として、巻き取る外筒とそれが回転する中心のシャフトとの間にコイルスプリングが介在される巻取軸体が内装される。
【０００３】
図８は、防虫網が張られる網窓について本出願人に係る従来例（特許文献１）を示したもので、網窓の枠組体Ｆの一端に収納枠８２を有し、その中にシャフト８４と外筒８６との間にコイルスプリング９１が介在されてなる巻取軸体８０が内装され、外筒８６には、上中下の軸承ブロック８８，８９，９０が嵌着され、上部軸承ブロック８８と中間軸承ブロック８９との間において、シャフト８４にコイルスプリング９１が装着され、それが、上端ではシャフト８４に留め金９２により固定され、下端では中間軸承ブロック８９に固定される。
【０００４】
防虫網９３は、把手フレーム９４でコイルスプリング９１の弾力に抗して引き出されるため、この際にコイルスプリング９１に蓄積された弾力（弾性エネルギー）により回転する外筒８６に防虫網９３が巻き取られる。コイルスプリング９１の効き方が弱いと巻取りが中途で止まったり、防虫網９３の閉じの状態に緩みが生じたりする不都合があり、また、コイルスプリング９１の効き方が強すぎると、防虫網９３が完全に閉じられなかったり、巻き取られる引っ込みが危ういまでに急速になるため、コイルスプリング９１の効き方を弱めたり強めたりする調整装置９６が収納枠８２の上端に設けられていた。なお、本願の発明は、後記するように、調整装置９６が無い場合についての実施形態を記載したが、有る場合についても実施できる。
【０００５】
ちなみに、その調整装置９６については、シャフト８４と接続する中央歯車と、そのラチェットに掛かる爪付きのレバーとを設け、その他に中央歯車と噛み合う小径の駆動用副歯車（中央歯車の回転に倍力を得るため）と、レバーを付勢するピンばね等からなるもので、コイルスプリングの力を強めるときには中央歯車をその方向に回転し、弱めるときにはレバーの解除で中央歯車を適度なまで逆回転させるという構造になっていた。
【特許文献１】特願２００５−０４６９５０
【発明の開示】
【発明が解決しようとする課題】
【０００６】
いずれにしても、上記のような従来のスクリーンの巻取り装置によれば、防虫網を体裁よく緊張して張ることや、仕舞い残りが生じないようにすることのために、コイルスプリングを強に調整すると、把手フレームを縦枠から放した時、突然のように急速に把手フレームが移動して危険に感じるという不都合があった。
【０００７】
この発明は、上記のような実情から、防虫網などのスクリーンを張るために引き出したときにコイルスプリングに蓄積された弾力でスクリーンを巻き取るようにした枠組体において、巻取りの速度を緩和するための制動装置を提供することを課題とした。
【課題を解決するための手段】
【０００８】
上記の課題を解決するために、この発明は、スクリーンで開閉される枠組みの一の枠がスクリーンの巻取軸体が内装される収納枠であって、収納枠の両端に枠組みのための連結ブロックが固着されている枠組体において、その巻取軸体は、スクリーンを巻き取る外筒と、それを軸支する中心のシャフトとの間にコイルスプリングが介在され、コイルスプリングの弾力に抗するシャフトに対する外筒の逆回転を伴わせてスクリーンが引き出され且つ弾力による正回転により巻き取られるようになしてあって、一方の連結ブロックに、コイルスプリングによるシャフトに対する外筒の正回転の速度を制御する一方向制動装置が内装又は埋設されていることを特徴とする網状ないし面状スクリーンの巻取り制動装置を提供する。
【０００９】
網状ないし面状スクリーンの巻取り制動装置を上記のように構成したから、スクリーンを引き出して外筒を逆回転すると、コイルスプリングに弾力が蓄積されるので、スクリーンを解放するとその弾力で外筒が正回転し、引き戻して巻き取るが、その際に一方向制動装置が作動して外筒の正回転が制御される。
【発明の効果】
【００１０】
以上説明したように、この発明によれば、コイルスプリングの弾力で収納枠にスクリーンを引き込ませる際に、危うく感じないようにスクリーンの引き込み速度が制御されるので、快適にスクリーンの開閉操作をなすことができる。しかも、そのための一方向制動装置が連結ブロックに内装又は埋設されるので、巻取軸体の構造が複雑とならなく、また、巻取軸体や一方向制動装置の保守管理が容易となるという優れた効果がある。
【００１１】
また、請求項２によれば、保守管理等のために巻取軸体を容易に着脱できる。
【発明を実施するための最良の形態】
【００１２】
図面は、この発明を防虫網の網戸ないし網窓に実施した形態を示したものであるが、映写幕や遮蔽幕などについても同様に実施することがきる。
【００１３】
図１は、網窓のほゞ全体を示す一部切欠した正面図であって、その枠組体Ｆは、一端に縦枠として開閉蓋５（図６参照）付きの収納枠１を有し、それに上下枠２，３がブロック１２，１３で連結され、他端に縦枠４を有する。また、防虫網９の端に把手フレーム７が取り付けられ、それが上下枠２，３の双方に移動可能に係合される。収納枠１には、防虫網９の巻取軸体１１が内装され、それが上端では上部連結ブロック１２に、下端では下部連結ブロック１３にそれぞれ着脱可能に支持され、そのうちの下部連結ブロック１３に巻取軸体１１の一方向制動装置１０が埋設される。また、巻取軸体１１の着脱を可能にするために、その上端に上端昇降軸装置１４が設けられ、これによってシャフト２５の上端が上部連結ブロック１２にクラッチ接続で固定されるようになっている。
【００１４】
なお、一方向制動装置１０には様々な形式を採ることができるが、本願の発明は、下部連結ブロック１３に内装ないし埋設するものであることに特徴がある。また、一方向制動装置１０は、本願発明ではロータリーダンパがワンウエイ（一方向）になっているものを使用することができるが、本実施例ではそれとは異なるワンウエイクラッチ１５と、ロータリーダンパ１７とからなるものを挙げた。
【００１５】
上部連結ブロック１２と下部連結ブロック１３とは、プラスチック等で形成されるもので、収納枠１の端面に当たる厚盤状であって、上下枠２，３に嵌入してビス止めされる二叉状の連結片１２ａ，１３ａが突設され、それぞれに金属板の端面板１９，２１が重ねられ、上部連結ブロック１２及び下部連結ブロック１３がそれと重なって収納枠１にビス止めされる（図５参照）。図６において、２３がそのビス２２が螺入されるビスポケットである。
【００１６】
巻取軸体１１は、常時固定されているシャフト２５と、防虫網９を巻き取る外筒２７との間にコイルスプリング２９を介在させたもので、外筒２７には上部キャップ３１と、中間固定ピース３３と、下部キャップ３５とがそれぞれ固定して嵌着され、そのうち、上部キャップ３１と中間固定ピース３３とを軸受けとしてシャフト２５に対して外筒２７が回転可能に軸支される。そして、コイルスプリング２９の上端がシャフト２５に、下端が中間固定ピース３３にそれぞれ固定されているので、外筒２７が防虫網９を（巻き戻しに）に引き出すと（図６参照）、それによる外筒２７のＱ方向への逆回転でコイルスプリング２９に捩れが生じる。この捩れで弾力が蓄積されるので、把手フレーム７を縦枠４に止めておくことにより、防虫網９を閉じに張った状態を保つことができる。３７ａ、３７ｂが把手フレーム７を閉じに保持するための磁石を示す。
【００１７】
把手フレーム７を解放すると、コイルスプリング２９に蓄積されていた弾力で外筒２７がＰ方向へ正回転し（図６参照）、それに防虫網９が巻き取られる。この速度を制御するために、外筒２７と一体の下部キャップ３５に一方向制動装置１０に接続するための脚軸部３９を垂設し、それにシャフト２５と同軸上の連結軸孔４１が形成してある。したがって、一方向制動装置１０は、この脚軸部３９のＱ方向への逆回転を自由となし、Ｐ方向への正回転を制御するものとして構成される。
【００１８】
一方向制動装置１０には、このために、脚軸部３９との接続のための入力軸２が中心に突設されている。そこで、巻取軸体１１の取り付けの際には、連結軸孔４１をそれに落とし込むと、巻取軸体１１の下端が入力軸２に軸支されるとともに、外筒２７が入力軸４２と一体回転する状態となる。なお、入力軸２と脚軸部３９との接続のための固定には押すネジ４０が用いられる。しかし、連結軸孔４１と入力軸４２とを角形に嵌めるようにする等、他の固着手段を取ることもできる。
【００１９】
一方向制動装置１０は、正回転（Ｐ）のみをロータリーダンパ１７に伝達するようにワンウエイクラッチ１５を具備したもので、低い円筒形ケース４３の下端に安定のための座板４５を一体に設け、ケース４３の中にワンウエイクラッチ１５を構成し、その接続により座板４５に対して摩擦する回転底盤４７がケース４３の底部に嵌められてロータリーダンパ１７が構成される。これを下部連結ブロック１３に埋設するために、ケース４３の下半部が嵌まる埋設穴５０が形成され、底板５２と端面板２１とで抜け落ちないように封止される。
【００２０】
入力軸４２は、巻取軸体１１の外筒２７と一体回転軸であるから、ケース４３には、上下ベアリング４９，５１を介して自由に回転するように軸支される。また、ケース４３内には、入力軸４２にラチェット車５５をピンにより固定して取り付け、回転底盤４７の上にはラチェットレバー５９を揺動可能にピン６１で軸支し（図４）、ラチェット車５５のラチェットに掛かるようにラチェットレバー５９がコイルバネ６３により付勢される。こうして、外筒２７と一体回転するラチェット車５５が、正回転（Ｐ）の時においてのみラチェットレバー５９に掛かるために、その回転が回転底盤４７に伝達され、座板４５との摩擦で回転底盤４７、つまりは外筒２７の回転が制御されるようになっている。
【００２１】
上端昇降軸装置１４は、巻取軸体１１の脱着を容易になし得るための手段であって、その構造については、上部連結ブロック１２とでクラッチを構成するもので、そのため上部連結ブロック１２については、中心には縦孔６４ａを設けるとともに、その中に噛み合いクラッチ面６８を有する軸承片６０が嵌着される。そして、巻取軸体１１の上端には、上端昇降軸装置１４の構成として、凹形の前記上部キャップ３１と、その凹部に落とし込まれる可動接続片６５と、落とし込みに抗するように働く圧縮バネ６７とが組まれ、可動接続片６５は、シャフト２５上端に嵌着されそれにリベット６９で固定される。また、圧縮バネ６７は、上部キャップ３１の中においてシャフト２５に挿入され、上端で可動接続片６５を上方に付勢し得るように受けている。可動接続片６５には、上端に上部連結ブロック１２に安定して接合する鍔部７２が形成され、その中央に噛合いクラッチ面６９が縦孔６４ａにやゝ凸に嵌まるように形成され、さらに中心に軸承片６０の中心の軸孔６４に嵌まる端末軸７１が突設される。なお、鍔部７２は、巻取軸体１１を垂直に安定した支持する役目を果たすが、上部連結ブロック１２の下面との粗面接合により摩擦クラッチ接続するようにもなっている。
【００２２】
そこで、巻取軸体１１を取り外すときには、まず、それを持ち上げながら、圧縮バネ６７の弾力に抗して可動接続片６５の下げを伴いながら、巻取軸体１１を持ち上げることにより、入力軸４２から脚軸部３９を抜き取る。また、取り付けるときには丁度逆の操作となる。
【図面の簡単な説明】
【００２３】
【図１】この発明の一実施形態を示す網戸ないし網窓の一部切欠した正面図である。
【図２】同網戸ないし網窓における網状ないし面状スクリーンの巻取り制動装置を説明する断面図である。
【図３】図１のＡ部（図２の下端部）を示す拡大断面図である。
【図４】図３のＢ−Ｂ線矢視の断面図である。
【図５】図１のＣ−Ｃ線矢視の平面図である。
【図６】図１のＤ−Ｄ線矢視の断面図である。
【図７】図１のＥ−Ｅ線矢視の断面図である。
【図８】従来例の説明図である。
【符号の説明】
【００２４】
Ｆ  枠組体
１  収納枠
９  スクリーンとしての防虫網
１０  一方向制動装置
１１  巻取軸体
１２  上部連結ブロック
１３  下部連結ブロック
１４  上端昇降軸装置
１５  ワンウエイクラッチ
１７  ロータリーダンパ
２５  シャフト
２７  外筒
２９  コイルスプリング
３５  下部キャップ
３９  脚軸部
４２  入力軸
６４  軸孔
６８，６９  噛み合いクラッチ面
７１  端末軸
７２  鍔部
Ｐ  正回転
Ｑ  逆回転
【図１】
2007303111.tif 000003
【図２】
2007303111.tif 000004
【図３】
2007303111.tif 000005
【図４】
2007303111.tif 000006
【図５】
2007303111.tif 000007
【図６】
2007303111.tif 000008
【図７】
2007303111.tif 000009
【図８】
2007303111.tif 000010